(57)【特許請求の範囲】
【請求項１】
第１の無線基地局と無線チャネルを介して接続されている第１の無線端末により送信された第１の無線信号から、第１の無線基地局と無線チャネルを介して接続されている第２の無線端末により送信された第２の無線信号による干渉の影響を除去するための干渉除去システムであって、
前記第２の無線基地局は、
前記第１の無線信号及び前記第２の無線信号を含む無線信号を受信する第２の無線機と、
前記無線機により受信された前記無線信号から、前記第２の無線信号を抽出する抽出手段と、
抽出した前記第２の無線信号を前記第１の無線基地局に送信する送信手段とを有し、
前記第１の無線基地局は、
前記第１の無線信号及び前記第２の無線信号を含む無線信号を受信する第１の無線機と、
前記第１の無線機により受信された前記無線信号から、前記第２の無線基地局により送信された前記第２の無線信号を除去する干渉除去手段を有することを特徴とする干渉除去システム。
【請求項２】
前記第２の無線基地局の前記抽出手段は、前記第２の無線機により受信された前記無線信号を所定の方式で復調することにより得られる復調信号を、前記第２の無線機により受信された前記無線信号の振幅変動及び位相変動の少なくとも一つに係る情報を有する修正信号で修正することによって、前記第２の無線信号を抽出することを特徴とする請求項１に記載の干渉除去システム。
【請求項３】
前記第２の無線基地局の前記送信手段は、前記第２の無線信号に併せて、前記第２の無線信号の時間同期情報を含むクロック信号を送信し、
前記第１の無線基地局の前記干渉除去手段は、前記クロック信号に応じて、前記第１の無線機により受信された前記無線信号から、前記第２の無線基地局により送信された前記第２の無線信号を除去することを特徴とする請求項１又は２に記載の干渉除去システム。
【請求項４】
第１の無線基地局と無線チャネルを介して接続されている第１の無線端末により送信された第１の無線信号から、第１の無線基地局と無線チャネルを介して接続されている第２の無線端末により送信された第２の無線信号による干渉の影響を除去するための干渉除去方法であって、
前記第２の無線基地局において、前記第１の無線信号及び前記第２の無線信号を含む無線信号を受信する第１工程と、
前記第２の無線基地局において、前記第１工程において受信した前記無線信号から、前記第２の無線信号を抽出する第２工程と、
前記第２の無線基地局において、抽出した前記第２の無線信号を前記第１の無線基地局に送信する第３工程と、
前記第１の無線基地局において、前記第１の無線信号及び前記第２の無線信号を含む無線信号を受信する第４工程と、
前記第１の無線基地局において、前記第４工程において受信した前記無線信号から、前記第２の無線基地局により送信された前記第２の無線信号を除去する第５工程とを有することを特徴とする干渉除去方法。
【請求項５】
前記第２工程において、前記第１工程において受信した前記無線信号を所定の方式で復調することにより得られる復調信号を、前記第１工程において受信した前記無線信号の振幅変動と位相変動の少なくとも一つに係る情報を含む修正信号で修正することによって、前記第２の無線信号を抽出することを特徴とする請求項４に記載の干渉除去方法。
【請求項６】
前記第３工程において、前記第２の無線信号と併せて、前記第２の無線信号の時間同期情報を含むクロック信号を送信し、
前記第５工程において、前記クロック信号に応じて、前記第４工程において受信した前記無線信号から、前記第２の無線基地局により送信された前記第２の無線信号を除去することを特徴とする請求項４又は５に記載の干渉除去方法。
【発明の詳細な説明】
【０００１】
【発明の属する技術分野】
本発明は、無線通信システムの無線基地局において、他の無線通信システムからの干渉を除去するための干渉除去システム及び干渉除去方法に関する。
【０００２】
【従来の技術】
従来、異なる無線通信システムの無線基地局２１が、土地の有効利用のために、同じ場所又は隣接する場所に設置されている無線通信システムが知られている。この場合、無線基地局２１は、自身が管理する無線端末１１からの無線信号Ｓ０だけではなく、他の無線通信システムの無線端末である干渉無線端末１０からの無線信号Ｓ１をも受信するが、異なる無線通信システムでは異なる周波数が使用されるために、通常、無線基地局２１において、他の無線通信システムすなわち干渉無線端末１０からの無線信号Ｓ１による干渉（雑音）の影響は小さい。
【０００３】
しかしながら、この従来の無線通信システムにおいて、干渉無線端末１０の数が多く、無線端末１１と無線基地局２１との距離が長い場合には、無線端末１１からの無線信号Ｓ０に対して、干渉無線端末１０からの無線信号Ｓ１による干渉（雑音）の影響が無視できなくなり、無線通信の品質が劣化してしまうという問題があった。
【０００４】
（従来技術の干渉除去システムの構成）
この問題を解決するために、図４に示す干渉除去システムが知られている。この干渉除去システムは、図４に示すように、干渉無線端末１０と、無線端末１１と、干渉無線基地局２０と、無線基地局２１とによって構成されている。
【０００５】
無線端末１１は、無線基地局２１と無線チャネルを介して接続される無線通信機器であって、干渉無線端末１０は、干渉無線基地局２０と無線チャネルを介して接続される無線通信機器である。
【０００６】
無線基地局２１は、網８１に接続されており、無線端末１１の通信を管理するものである。無線基地局２１は、具体的には、無線機３１と、変復調部４１と、制御部５１と、干渉再生部６１と、干渉除去部７１とを有する。
【０００７】
無線機３１は、変復調部４１と制御部５１と干渉再生部６１と干渉除去部７１とに接続されており、変復調器４１からの信号Ｓ０を無線チャネルを介して無線端末１１に送信し、無線チャネルを介して無線端末１１及び干渉無線端末１０から送信された無線信号（Ｓ０＋Ｓ１）を干渉再生部６１及び干渉除去部７１に送信するものである。干渉再生部６１は、無線機３１と制御部５１と干渉除去部７１とに接続されており、無線機３１からの信号（Ｓ０＋Ｓ１）を、干渉無線基地局２０による復調と同様の方法で復調することによって、干渉無線端末２０により送信された無線信号Ｓ１を再生し、この再生信号Ｓ１を干渉除去部７１に送信するものである。干渉除去部７１は、無線機３１と変復調部４１と制御部５１と干渉再生部６１とに接続されており、無線機３１からの信号（Ｓ０＋Ｓ１）から、上述の再生信号Ｓ１を引き（除去し）、得られた信号Ｓ０を変復調部４１に送信するものである。変復調部４１は、無線機３１と制御部５１と干渉除去部７１と網８１とに接続されており、干渉除去部７１からの信号Ｓ０を復調し、この復調信号Ｓ'０を網８１に送信し、網８１からの信号Ｓ'０を変調し、この変調信号Ｓ０を無線機３１に送信するものである。制御部５１は、無線機３１と変復調部４１と干渉再生部６１と干渉除去部７１とに接続されており、これらを制御するものである。
【０００８】
干渉無線基地局２０は、網８０に接続されており、干渉無線端末１０の通信を管理する無線基地局である。干渉無線基地局２０は、具体的には、無線機３０と、変復調部４０と、制御部５０とを有する。干渉無線基地局２０は、無線端末１０からの無線信号Ｓ０による干渉の影響を考慮していない。
【０００９】
無線機３０は、変復調部４０と制御部５０とに接続されており、変復調器４０からの信号Ｓ１を無線チャネルを介して干渉無線端末１０に送信し、無線チャネルを介して干渉無線端末１０から送信された無線信号Ｓ１を変復調器４０に送信するものである。変復調器４０は、無線機３０と制御部５０と網８０とに接続されており、無線機３０からの信号Ｓ０を復調し網８０に送信し、網８０からの信号を変調し無線機３０に送信するものである。制御部５０は、無線機３０と変復調部４０とに接続されており、これらを制御するものである。
【００１０】
（従来技術の干渉除去システムの動作）
上記構成を有する干渉除去システムにおいて、他の無線通信システム（干渉無線端末１０）からの無線信号Ｓ１による干渉の影響を除去する動作は、図５及び図６に示す手順により実施することができる。
【００１１】
ステップ２０１において、無線基地局２１の無線機３１が、干渉無線端末１０からの無線信号Ｓ１による干渉（雑音）の影響を受けた無線端末１１からの無線信号（Ｓ０＋Ｓ１）を受信する。ステップ２０２において、干渉再生部６１が、無線機３１からの信号（Ｓ０＋Ｓ１）を、干渉無線基地局２０によって行われる復調と同じ方法で復調することによって、干渉無線端末１０からの無線信号Ｓ１を再生する。ステップ２０３において、干渉除去部７１が、無線機３１からの信号（Ｓ０＋Ｓ１）から、この再生信号Ｓ１を引く（除去する）ことによって、干渉無線端末１０からの無線信号Ｓ１による干渉（雑音）を除去した無線端末１１からの無線信号Ｓ０を抽出する。ステップ２０４において、変復調部４１が、抽出された信号Ｓ０を変調し、この変調信号Ｓ'０を網８１に送信する。
【００１２】
【発明が解決しようとする課題】
しかしながら、上述の干渉除去システムでは、無線基地局２１において、干渉無線端末１０からの無線信号Ｓ１を再生する必要があるため、無線基地局２１の構成が複雑になるという問題がある。また、上述の干渉除去システムでは、複数の無線通信システムにおける干渉無線端末１０からの無線信号Ｓ１による干渉の影響を考慮する必要がある場合、無線基地局２１において、この無線通信機システムごとに、干渉無線端末１０からの無線信号Ｓ１を再生する必要があるため、無線基地局２１の構成がさらに複雑になるという問題がある。
【００１３】
そこで、本発明は、以上の点に鑑みてなされたもので、他の無線通信システムの無線基地局である干渉無線基地局２０が、干渉無線端末１０により送信された無線信号Ｓ１を再生し、無線基地局１１が、この再生された無線信号Ｓ１を用いて干渉の除去を行うことを特徴とする干渉除去システム及び干渉除去方法を提供することを目的とする。
【００１４】
【課題を解決するための手段】
本発明に係る干渉除去システム及び干渉除去方法は、第１の無線端末により第１の無線基地局に送信された第１の無線信号から、第２の無線端末により第２の無線基地局に送信された第２の無線信号による干渉の影響を除去するためのものであって、前記第２の無線基地局が、受信した無線信号から、前記第２の無線信号を抽出する抽出手段と、抽出した前記第２の無線信号を前記第１の無線基地局に送信する送信手段とを有し、前記第１の無線基地局が、受信した無線信号から、前記第２の無線基地局により送信された前記第２の無線信号を除去する干渉除去手段を有することを特徴とするものである。
【００１５】
本発明に係る干渉除去システム及び干渉除去方法によれば、第１の無線基地局の干渉除去手段が、第２の無線基地局の送信手段によって送信された第２の無線信号に応じて、第１の無線信号から第２の無線信号による干渉の影響を除去するため、第１の無線基地局において、第２の無線信号を再生する必要がなくなり、第１の無線基地局の構成の複雑さが軽減される。また、本発明に係る干渉除去システム及び干渉除去方法によれば、複数の無線通信システムにおける第２の無線端末からの第２の無線信号Ｓ１による干渉の影響を考慮する必要がある場合であっても、第１の無線基地局の干渉除去手段が、第２の無線基地局の送信手段によって送信された第２の無線信号のみに応じて、第１の無線信号から第２の無線信号による干渉の影響を除去するため、第１の無線基地局の構成が複雑になると言う問題点は解決される。
【００１６】
上述の干渉除去システム及び干渉除去方法において、前記第２の無線基地局の抽出手段が、前記受信した無線信号を所定の方式で復調することにより得られる復調信号を、前記受信した無線信号の振幅変動及び位相変動の少なくとも一つに係る情報を有する修正信号で修正することによって、前記第２の無線信号を抽出することが好ましい。
【００１７】
この場合、第２の無線基地局の抽出手段が、復調信号を修正信号で修正することによって、第２の無線信号を抽出するため、マルチパスフェージング等による振幅変動や位相変動等が生じる環境においても、第２の無線基地局の抽出手段が、第２の無線信号を正確に抽出し、第１の無線基地局の干渉除去手段が、第１の無線信号から第２の無線信号による干渉の影響を正確に除去することができる。
【００１８】
上述の干渉除去システム及び干渉除去方法において、前記第２の無線基地局の送信手段が、前記第２の無線信号に併せて、前記第２の無線信号の時間同期情報を含むクロック信号を送信し、前記第１の無線基地局の干渉除去手段は、前記クロック信号に応じて、前記受信した無線信号から、前記第２の無線基地局により送信された前記第２の無線信号を除去することが好ましい。
【００１９】
この場合、第１の無線基地局の干渉除去手段は、第２の無線信号と時間同期が取られたクロック信号に応じて、常時、第１の無線信号から第２の無線信号による干渉の影響を除去するため、より正確な干渉の除去を行うことが可能となる。
【００２０】
【発明の実施の形態】
（干渉除去システムの構成）
本発明の実施形態について図１を参照しながら説明する。図１は、本実施形態に係る干渉除去システムを示す概略構成図である。
【００２１】
同図に示すように、本実施形態に係る干渉除去システムは、無線基地局２１において、受信した無線信号（Ｓ０＋Ｓ１）から干渉無線端末１０により送信された無線信号Ｓ１による干渉の影響を除去し、無線端末１１により送信された無線信号Ｓ０のみを抽出するためのものである。本実施形態に係る干渉除去システムは、具体的には、干渉無線端末１０１及び１０２と、無線端末１１と、無線基地局２１と、干渉再生無線基地局２０Ａとによって構成されている。それぞれ異なる無線通信システムに属している無線基地局２１と干渉再生無線基地局２０Ａは、同じ場所又は隣接する場所に設置されている。
【００２２】
無線端末１１は、無線基地局２１と無線チャネルを介して接続される無線通信機器（第１の無線端末）であって、干渉無線端末１０１及び１０２は、干渉再生無線基地局２０Ａと無線チャネルを介して接続される無線通信機器（第２の無線端末）である。
【００２３】
無線基地局２１は、網８１に接続されており、少なくとも１つの無線端末１１の通信を管理する第１の無線基地局である。無線基地局２１は、具体的には、無線機３１と、変復調部４１と、制御部５１と、干渉除去部７１とを有する。網８１は、無線制御局及び無線中継局を含む無線通信用ネットワークである。
【００２４】
無線機３１は、変復調部４１と制御部５１と干渉除去部７１とに接続されており、変復調器４１からの信号Ｓ０を無線チャネルを介して無線端末１１に送信し、無線チャネルを介して無線端末１１及び干渉無線端末１０１及び１０２から送信された無線信号（Ｓ０＋Ｓ１＋Ｓ２）を干渉除去部７１に送信するものである。
【００２５】
干渉除去部７１は、無線機３１と変復調部４１と制御部５１と干渉再生無線基地局２０Ａの再生部６０とに接続されており、無線機３１により受信された無線信号（Ｓ０＋Ｓ１＋Ｓ２）から、干渉再生無線基地局２０Ａにより送信された第２の無線信号、すなわち再生信号（Ｓ１＋Ｓ２）を引き（除去し）、得られた信号Ｓ０を変復調部４１に送信する干渉除去手段である。この際、干渉除去部７１は、干渉再生無線基地局２０Ａにより送信されたフレームクロック信号に基づいて、無線機３１からの信号（Ｓ０＋Ｓ１＋Ｓ２）と上述の再生信号（Ｓ１＋Ｓ２）との時間同期を取る。
【００２６】
変復調部４１は、無線機３１と制御部５１と干渉除去部７１と網８１とに接続されており、干渉除去部７１からの信号Ｓ０を復調し、この復調信号Ｓ'０を網８１に送信し、網８１からの信号Ｓ'０を変調し、この変調信号Ｓ０を無線機３１に送信するものである。
【００２７】
制御部５１は、無線機３１と変復調部４１と干渉除去部７１とに接続されており、これらを制御するものである。
【００２８】
干渉再生無線基地局２０は、網８０に接続されており、干渉無線端末１０１及び１０２の通信を管理する第２の無線基地局である。干渉無線基地局２０は、具体的には、無線機３０と、変復調部４０と、制御部５０と、再生部６０とを有する。
【００２９】
無線機３０は、変復調部４０と制御部５０とに接続されており、変復調器４０からの信号Ｓ１及びＳ２を無線チャネルを介して干渉無線端末１０１及び１０２に送信し、無線チャネルを介して無線端末１０及び干渉無線端末１０１及び１０２により送信された無線信号（Ｓ０＋Ｓ１＋Ｓ２）を変復調器４０に送信するものである。
【００３０】
変復調器４０は、無線機３０と制御部５０と網８０とに接続されており、無線機３０により受信された無線信号（Ｓ０＋Ｓ１＋Ｓ２）を復調し、この復調信号（Ｓ'１＋Ｓ'２）を網８０及び再生部４０に送信し、網８０からの信号Ｓ'１及びＳ'２を変調し、この変調信号Ｓ１及びＳ２を無線機３０に送信するものである。また、変復調部４０は、干渉無線端末１０１及び１０２により送信された無線信号（Ｓ１＋Ｓ２）のマルチパスフェージング等による振幅変動及び位相変動に係る情報を有する修正信号であるチャネル推定信号を生成し再生部６０に送信するものである。
【００３１】
制御部５０は、無線機３０と変復調部４０と再生部６０とに接続されており、これらを制御するものである。
【００３２】
再生部６０は、変復調部４０と制御部５０と無線基地局２１の干渉除去部７１とに接続されており、変復調器４０から送信された復調信号（Ｓ'１＋Ｓ'２）とチャネル推定信号とに基づいて、干渉無線端末１０１及び１０２により送信された無線信号（Ｓ１＋Ｓ２）を再生し、この再生信号（Ｓ１＋Ｓ２）を無線基地局２１に送信するものである。この無線信号（Ｓ１＋Ｓ２）の再生は、復調信号（Ｓ'１＋Ｓ'２）を干渉無線端末１０１及び１０２と同じ方法で変調し、チャネル推定信号に基づいて振幅及び位相を変動する修正によって行われる。この無線信号（Ｓ１＋Ｓ２）の再生は、上述の修正の後に、上述の変調を行うことによって、実行されてもよい。
【００３３】
再生部６０は、変復調部４０の一部の機能を利用することもできる。また、変復調部４０と再生部６０は、第２の無線基地局の抽出手段を構成する。さらに、再生部６０は、第２の無線基地局の送信手段を構成する。
【００３４】
干渉再生無線基地局２０Ａが、複数の干渉無線端末１０１及び１０２から無線信号Ｓ１及びＳ２を受信している場合には、再生部６０は、それぞれの無線信号Ｓ１及びＳ２を再生し、それらを足し合わせて無線基地局２１に送信する。
【００３５】
また、再生部６０は、無線基地局２１の干渉除去部７１において、無線機３１により受信した信号（Ｓ０＋Ｓ１＋Ｓ２）と上述の再生信号（Ｓ１＋Ｓ２）との時間同期を取るために、再生信号（Ｓ１＋Ｓ２）と併せて、再生信号（Ｓ１＋Ｓ２）の時間同期情報を有するフレームクロック信号を無線基地局２１に送信する。
【００３６】
（干渉除去システムを用いた干渉除去方法）
上記構成を有する干渉除去システムを用いた干渉除去方法は、以下の手順により実施することができる。図２及び図３は、上記構成を有する干渉除去システムにおいて、他の無線通信システム（干渉無線端末１０１及び１０２）からの無線信号（Ｓ１＋Ｓ２）による干渉を除去する動作を示す図である。
【００３７】
図２に示すように、ステップ１０１において、無線基地局２１の無線機３１が、干渉無線端末１０１及び１０２により送信された無線信号Ｓ１及びＳ１による干渉（雑音）の影響を受けた無線端末１１からの無線信号（Ｓ０＋Ｓ１＋Ｓ２）を受信する。そして、無線機３１は、この無線信号（Ｓ０＋Ｓ１＋Ｓ２）を干渉除去部７１に送信する。
【００３８】
ステップ１０２において、干渉再生無線基地局２０Ａの無線機３０が、無線端末１１からの無線信号Ｓ０による干渉（雑音）の影響を受けた干渉無線端末１０１及び１０２からの無線信号（Ｓ０＋Ｓ１＋Ｓ２）を受信する。そして、無線機３０は、この無線信号（Ｓ０＋Ｓ１＋Ｓ２）を、変復調部４０に送信する。
【００３９】
ステップ１０３において、変復調部４０が、無線機３０からの無線信号（Ｓ０＋Ｓ１＋Ｓ２）に基づいて、復調信号（Ｓ'１＋Ｓ'２）及びチャネル推定信号を生成する。そして、変復調部４０は、復調信号（Ｓ'１＋Ｓ'２）を、網８０及び再生部６０に送信する。
【００４０】
ステップ１０４において、再生部６０が、干渉無線端末１０１及び１０２と同じ方式で、この復調信号（Ｓ'１＋Ｓ'２）を変調し、この変調された信号をチャネル推定信号によって修正することによって、再生信号（Ｓ１＋Ｓ２）を生成する。
【００４１】
ステップ１０５において、再生部６０が、この再生信号（Ｓ１＋Ｓ２）を、フレームクロック信号と併せて、無線基地局２１の干渉除去部７１に送信する。
【００４２】
ステップ１０６において、干渉除去部７１が、無線機３１からの信号（Ｓ０＋Ｓ１＋Ｓ２）から、この再生信号（Ｓ１＋Ｓ２）を引く（除去する）ことによって、干渉無線端末１０１及び１０２からの無線信号Ｓ１及びＳ２による干渉（雑音）を除去した無線端末１１からの無線信号Ｓ０を抽出する。
【００４３】
ステップ１０７において、変復調部４１が、抽出された無線信号Ｓ０を変調し、この変調信号Ｓ'０を網８１に送信する。
【００４４】
（干渉除去システム及び干渉除去方法の作用・効果）
本実施形態に係る干渉除去システム及び干渉除去方法によれば、無線基地局２１の干渉除去部７１が、干渉無線基地局２０Ａの再生部６０により送信された無線信号（Ｓ１＋Ｓ２）に応じて、無線機３１により受信された無線信号（Ｓ１＋Ｓ２＋Ｓ３）から、干渉無線端末１０１及び１０２により送信された無線信号（Ｓ１＋Ｓ２）による干渉の影響を除去するため、無線基地局２１において、無線信号（Ｓ１＋Ｓ２）を再生する必要がなくなり、無線基地局２１の構成の複雑さが軽減される。また、本発明に係る干渉除去システム及び干渉除去方法によれば、複数の無線通信システムにおける干渉無線端末１０１及び１０２により送信された無線信号Ｓ１及びＳ２による干渉の影響を考慮する必要がある場合であっても、無線基地局２１の干渉除去部７１が、干渉無線基地局２０Ａの再生部６０により送信された無線信号（Ｓ１＋Ｓ２）のみに応じて、無線機３１により受信された無線信号（Ｓ１＋Ｓ２＋Ｓ３）から、干渉無線端末１０１及び１０２により送信された無線信号（Ｓ１＋Ｓ２）による干渉の影響を除去するため、無線基地局２１の構成が複雑になると言う問題点は解決される。
【００４５】
また、干渉無線基地局２０Ａの再生部６０が、復調信号（Ｓ'１＋Ｓ'２）をチャネル推定信号で修正するため、マルチパスフェージング等による振幅変動や位相変動等が生じる環境においても、干渉無線基地局２０Ａの再生部６０が、干渉無線端末１０１及び１０２により送信された無線信号（Ｓ１＋Ｓ２）を正確に抽出し、無線基地局２１の干渉除去部７１が、無線機３１により受信された無線信号（Ｓ１＋Ｓ２＋Ｓ３）から、干渉無線端末１０１及び１０２により送信された無線信号（Ｓ１＋Ｓ２）による干渉の影響を正確に除去することができる。
【００４６】
また、無線基地局２１の干渉除去部７１は、干渉無線端末２０Ａの再生部６０により再生された無線信号（Ｓ１＋Ｓ２）と時間同期が取られたフレームクロック信号に応じて、常時、無線機３１により受信された無線信号（Ｓ１＋Ｓ２＋Ｓ３）から、干渉無線端末１０１及び１０２により送信された無線信号（Ｓ１＋Ｓ２）による干渉の影響を除去するため、より正確な干渉の除去を行うことが可能となる。
【００４７】
【発明の効果】
以上説明したように本発明によれば、他の無線通信システムの無線基地局である干渉無線基地局２０Ａの再生部６０が、干渉無線端末１０１及び１０２により送信された無線信号（Ｓ１＋Ｓ２）を再生し、無線基地局２１の干渉除去部７１が、この再生された無線信号（Ｓ１＋Ｓ２）を用いて、無線機３１により受信された無線信号（Ｓ１＋Ｓ２＋Ｓ３）から、干渉無線端末１０１及び１０２により送信された無線信号（Ｓ１＋Ｓ２）による干渉の影響を除去することを特徴とする干渉除去システム及び干渉除去方法を提供することができる。
【図面の簡単な説明】
【図１】本発明の一実施形態に係る干渉除去システムの概略構成図である。
【図２】本発明の一実施形態に係る干渉除去システムの動作を示すフローチャート図である。
【図３】本発明の一実施形態に係る干渉除去システムにおける信号の流れを示す図である。
【図４】従来技術に係る干渉除去システムの概略構成図である。
【図５】従来技術に係る干渉除去システムの動作を示すフローチャート図である。
【図６】従来技術に係る干渉除去システムにおける信号の流れを示す図である。
【符号の説明】
１０、１０１、１０２…干渉無線端末
１１…無線端末
２０…干渉無線基地局
２０Ａ…干渉再生無線基地局
３０、３１…無線機
４０、４１…変復調部
５０、５１…制御部
６０…再生部
６１…干渉再生部
７１…干渉除去部
８０、８１…網
【図１】
0003875042.tif 000002
【図２】
0003875042.tif 000003
【図３】
0003875042.tif 000004
【図４】
0003875042.tif 000005
【図５】
0003875042.tif 000006
【図６】
0003875042.tif 000007